(57)【要約】      （修正有）【課題】蛇腹状の用紙を収容しつつ、表面と裏面をそれぞれ一般的な絵本や書籍のようにページを捲って読むことができる冊子体を提供する。【解決手段】第１板材２１、第１板材２１に隣接した第２板材２２、第２板材２２に隣接した第３板材２３により三つ折り状に形成され、第１板材２１、第２板材２２、第３板材２３に連続する第１面２１ａ〜２３ａ及び第２面２１ｂ〜２３ｂをそれぞれ有する表紙体２０と、第１板材２１の面の領域より狭い領域内で蛇腹状に折り曲げて形成され、第１板材２１の第１面２１ａに紙片３１が接合されると共に、第３板材２３の第２面２３ｂに紙片３８が脱着可能に接合されたシート３０とを備え、シート３０の表面３１ａ〜３８ａを手前にしてページ捲り可能とする第１状態と、シート３０の裏面３１ｂ〜３８ｂを手前にしてページ捲り可能とする第２状態とを選択可能とする。【選択図】図１
0003234249.tif 000002
【実用新案登録請求の範囲】
【請求項１】
第１板材、この第１板材に隣接し、前記第１板材と同等の大きさを有する第２板材、この第２板材に隣接し、前記第１板材と同等の大きさを有する第３板材により三つ折り状に形成され、前記第１板材、第２板材、第３板材に連続する第１面及び第２面をそれぞれ有する表紙体と、
前記第１板材の面の領域より狭い領域内で蛇腹状に折り曲げて形成され、前記第１板材の第１面に一方の端部が接合されると共に、前記第３板材の第２面に他方の端部が脱着可能に接合されたシートとを備えていることを特徴とする冊子体。
【請求項２】
前記第３板材を前記第１面側を内側にして前記第２板材側に折り畳み、前記第３板材の第１面を前記第２板材の第１面を対向させると共に、前記第３板材の第２面に前記シートの他方の端部の裏面を接合させて、前記シートの表面を手前にしてページ捲り可能とする第１状態と、
前記第２板材を前記第２面側を内側にして前記第１板材側に折り畳み、前記第２板材の第２面を前記第１板材の第２面を対向させると共に、前記第３板材の第２面に前記シートの他方の端部の裏面が接合させて、前記シートの裏面を手前にしてページ捲り可能とする第２状態とを選択可能に構成されていることを特徴とする請求項１に記載の冊子体。
【請求項３】
前記第３板材の第２面と前記シートの他方の端部の裏面とは、面ファスナによって脱着可能に接合されていることを特徴とする請求項１に記載の冊子体。
【請求項４】
第１板材、この第１板材に隣接し、前記第１板材と同等の大きさを有する第２板材、この第２板材に隣接し、前記第１板材と同等の大きさを有する第３板材により三つ折り状に形成され、前記第１板材、第２板材、第３板材に連続する第１面及び第２面をそれぞれ有する表紙体と、
矩形状の複数の用紙を前記第１板材の面の領域より狭い領域内で蛇腹状に配置して形成され、前記第１板材の第１面に前記複数の用紙のうち一端に位置する用紙の裏面が接合されると共に、前記第３板材の第２面に前記複数の用紙のうち他端に位置する用紙の裏面が脱着可能に接合された蛇腹状に折り畳まれたシートとを備えていることを特徴とする冊子体。
【請求項５】
前記第３板材を前記第１面側を内側にして前記第２板材側に折り畳み、前記第３板材の第１面を前記第２板材の第１面を対向させると共に、前記第３板材の第２面に前記他端に位置する用紙の裏面を接合させて、前記複数の用紙の表面を手前にしてページ捲り可能とする第１状態と、
前記第２板材を前記第２面側を内側にして前記第１板材側に折り畳み、前記第２板材の第２面を前記第１板材の第２面を対向させると共に、前記第３板材の第２面に前記他端に位置する用紙の裏面が接合させて、前記複数の用紙の裏面を手前にしてページ捲り可能とする第２状態とを選択可能に構成されていることを特徴とする請求項４に記載の冊子体。
【請求項６】
前記第３板材の第２面と前記他端に位置する用紙の裏面とは、面ファスナによって脱着可能に接合されていることを特徴とする請求項４に記載の冊子体。
【考案の詳細な説明】
【技術分野】
【０００１】
本考案は、表紙とその内部に収容された用紙によって構成された冊子体に関するものである。
【背景技術】
【０００２】
絵本や書籍等の一般的な冊子体は、やや厚手の紙を二つ折りにして形成された表表紙と裏表紙との間に、複数枚の薄手の用紙を挟んで構成されている。用紙は表表紙と裏表紙とを繋ぐ背側が綴じられて、小口側が開放されている。したがって、読者は、絵本や小説等のようにストーリーがあるものについては、表表紙側から用紙を開き、裏表紙側に向けて読み進めていくことになり、裏表紙側でストーリーは完結する。なお、複数のストーリーが含まれている場合もあるが、その場合でも表表紙側から読み始め、裏表紙側で読み終わるという読み方の本質は同じである。
【０００３】
しかしながら、１つに見えるストーリーであっても、異なる観点から見ると全く違ったストーリーが存在していることがある。例えば、「桃太郎による鬼退治」という童話は、桃太郎側からの視点で描かれたものであり、鬼側の視点は描かれていない。しかし、鬼側の視点を考えてみると、鬼にも日常生活が有り、そこに桃太郎が率いる集団に脅かされるというストーリーが存在するとも考えられる。裏側のストーリーを見せるというのも、子供の情操教育の一つであると考えられるが、これらを１つの絵本や書籍で表現する場合、最初のストーリーがあって、それから次のストーリーを読んでいくことになる。しかし、これらが最初のストーリーと次のストーリーが表裏の関係になっていることが、本の構成から直感的に判りにくいという問題がる。
【０００４】
なお、表裏の関係というのは、異なった視点でのストーリーの他、視点は同じでも日本語と英語のように異なる言語で記述されたもの、古文と現代文のように異なる記述法で記述されたもの等、様々な形態が考えられる。
【０００５】
このように表裏の関係にあるものを１つの冊子体に記述する方法として、例えば、用紙を蛇腹状に折り畳み、両端部に表紙を取り付ける構造が考えられる。このような構造を有する冊子体としては、ご朱印帳やスタンプ帳等のように、厚手の台紙に蛇腹状に折り畳んだ用紙の端部を貼付したものが知られている。（例えば、特許文献１，２参照。）。
【０００６】
このような冊子体において、用紙の表面に１つ目のストーリー、裏面に２つ目のストーリーを記述すれば、上述した表裏の関係のストーリーを１つの冊子体に記述することができる。
【先行技術文献】
【特許文献】
【０００７】
【特許文献１】実用新案登録第３２２７００３号公報
【特許文献２】特許第６２９５３６８号公報
【考案の概要】
【考案が解決しようとする課題】
【０００８】
上述したように冊子体にあっては、次のような問題があった。すなわち、一般的な絵本や書籍とは異なり、表表紙と裏表紙とが独立しているため、本のようにページを捲って読むためには、読者が読まない側の面がある方をしっかり掴んで離間しないようにするといった、異なる取扱いをする必要があった。
【０００９】
本考案は、このような課題に鑑みてなされたものであり、その目的とするところは、蛇腹状の用紙を収容しつつ、表面と裏面をそれぞれ一般的な絵本や書籍のようにページ捲って読むことができる冊子体を提供することにある。
【課題を解決するための手段】
【００１０】
本考案は、第１板材、この第１板材に隣接し、前記第１板材と同等の大きさを有する第２板材、この第２板材に隣接し、前記第１板材と同等の大きさを有する第３板材により三つ折り状に形成され、前記第１板材、第２板材、第３板材に連続する第１面及び第２面をそれぞれ有する表紙体と、前記第１板材の面の領域より狭い領域内で蛇腹状に折り曲げて形成され、前記第１板材の第１面に一方の端部が接合されると共に、前記第３板材の第２面に他方の端部が脱着可能に接合されたシートを備えている。
【００１１】
本考案は、第１板材、この第１板材に隣接し、前記第１板材と同等の大きさを有する第２板材、この第２板材に隣接し、前記第１板材と同等の大きさを有する第３板材により三つ折り状に形成され、前記第１板材、第２板材、第３板材に連続する第１面及び第２面をそれぞれ有する表紙体と、矩形状の複数の用紙を前記第１板材の面の領域より狭い領域内で蛇腹状に配置して形成され、前記第１板材の第１面に前記複数の用紙のうち一端に位置する用紙の裏面が接合されると共に、前記第３板材の第２面に前記複数の用紙のうち他端に位置する用紙の裏面が脱着可能に接合された蛇腹状に折り畳まれたシートを備えている。
【考案の効果】
【００１２】
本考案の冊子体によれば、蛇腹状の用紙を収容しつつ、表面と裏面をそれぞれ一般的な絵本や書籍のようにページ捲って読むことが可能となる。
【図面の簡単な説明】
【００１３】
【図１】本考案の第１の実施形態である絵本を示す斜視図である。
【図２】同絵本を示す上面図である。
【図３】同絵本の第１形態を示す斜視図である。
【図４】同絵本の第１形態を示す上面図である。
【図５】同絵本の移行形態を示す斜視図である。
【図６】同絵本の移行形態を示す上面図である。
【図７】同絵本の第２形態を示す斜視図である。
【図８】同絵本の第２形態を示す上面図である。
【図９】本考案の第２の実施形態である絵本の要部を示す斜視図である。
【図１０】本考案の第３の実施形態である絵本の要部を示す斜視図である。
【図１１】本考案の第４の実施形態である絵本の要部を示す斜視図である。
【図１２】本考案の第５の実施形態である絵本の要部を示す斜視図である。
【考案を実施するための形態】
【００１４】
以下、図面を参照しつつ本考案の実施形態について説明する。  
＜第１の実施形態＞
図１は本考案の第１の実施形態である絵本（冊子体）１０を示す斜視図、図２は絵本１０を示す上面図である。本実施形態の説明においては、絵本１０は左開きとして説明する。なお、絵本１０はシート３０の表面３１ａ〜３８ａ側を読む第１形態と、シート３０の裏面３１ｂ〜３８ｂ側を読む第２形態とを任意に変換することができる。なお、第１形態と第２形態との間の状態を移行形態と称する。
【００１５】
絵本１０は、やや厚い紙で形成された三つ折りの表紙体２０と、この表紙体２０に一部が接合されたシート３０を備えている。
【００１６】
表紙体２０は、第１板材２１と、この第１板材２１に隣接し、第１板材２１と同等の大きさを有する第２板材２２、この第２板材２２に隣接し、第１板材２１と同等の大きさを有する第３板材２３により三つ折り状に形成されている。第１板材２１、第２板材２２、第３板材２３は、それぞれ第１面２１ａ〜２３ａ及び第２面２１ｂ〜２３ｂが形成され、第１面２１ａ〜２３ａ及び第２面２１ｂ〜２３ｂはそれぞれ連続した面となっている。第３板材２３の第２面２３ｂは、フック型の面ファスナ２４ａ，２４ｂが取り付けられている。なお、図中Ｐ１は第１板材２１と第２板材２２、Ｐ２は第２板材２２と第３板材２３の折曲位置を示している。
【００１７】
シート３０は、蛇腹状に折曲されて形成されており、それぞれの折曲によって形成された紙片３１〜３８を有し、各紙片３１〜３８の面の領域は第１板材２１の面の領域よりやや狭い領域内で形成されている。したがって、シート３０を折り畳むと、第１板材２１よりも僅かに狭い領域に収まることとなる。各紙片３１〜３８は、表面３１ａ〜３８ａ及び裏面３１ｂ〜３８ｂを有している。なお、図中Ｑ１〜Ｑ７は折曲位置を示している。
【００１８】
シート３０は、第１板材２１の第１面２１ａに一方の端部に位置する紙片３１の裏面３１ｂが接合される。シート３０の他方の端部に位置する紙片３８の裏面３８ｂには、ループ型の面ファスナ３９ａ，３９ｂが取り付けられている。面ファスナ３９ａ，３９ｂは上述した面ファスナ２４ａ，２４ｂに脱着自在であり、紙片３８の裏面３８ｂと第３板材２３の第２面２３ｂとが対向した際に面ファスナ３９ａ，３９ｂと面ファスナ２４ａ，２４ｂを接合することが可能である。なお、面ファスナ２４ａ，２４ｂと面ファスナ３９ａ，３９ｂについては、フック型とループ型を入れ替えても良い。
【００１９】
次に、この絵本１０の使用方法について、図３〜図８を用いて説明する。なお、図３及び図４は絵本１０の第１形態を示し、図３は斜視図、図４は上面図である。図５及び図６は絵本１０の移行形態を示し、図５は斜視図、図６は上面図である。図７及び図８は絵本１０の第２形態を示し、図７は斜視図、図８は上面図である。
【００２０】
絵本１０の第１形態は、シート３０の表面３１ａ〜３８ａ側を読む形態である。すなわち、図３，４に示すように、第３板材２３の第１面２３ａ側を内側にして第２板材２２側に折り畳み、第３板材２３の第１面２３ａを第２板材２２の第１面２２ａに対向させる。そして、第３板材２３の第２面２３ｂに紙片３８の裏面３８ｂの面ファスナ３９ａを面ファスナ２４ｂに、面ファスナ３９ｂを面ファスナ２４ａに接合させる。
【００２１】
このようにすることで、シート３０の表面３１ａ〜３８ａ側だけが手前側に位置するので、一般的な絵本と同様に左綴じ、左開きの絵本としてページを捲って読むことができる。なお、ここでは、例えば、童話の典型例である桃太郎のストーリー（桃太郎側からの視点、すなわち、鬼退治に行く話）が描かれている。
【００２２】
次に、シート３０の裏面３１ｂ〜３８ｂ側を読むために、絵本１０を第２状態へと移行する。すなわち、図５，６に示すように、面ファスナ３９ａと面ファスナ２４ｂ、面ファスナ３９ｂと面ファスナ２４ａとの結合を解除し、第２板材２２の第２面２２ｂ側を内側にして第１板材２１側に折り畳み（図５中矢印Ｆ）、第２板材２２の第２面２２ｂを第１板材２１の第２面２１ｂを対向させる。さらに、シート３０の紙片３８を移動させる（図５中矢印Ｓ）。そして、図７，８に示すように、第３板材２３の第２面２３ｂに紙片３８の裏面３８ｂを対向させ、面ファスナ３９ａを面ファスナ２４ｂに、面ファスナ３９ｂを面ファスナ２４ａに接合させる。
【００２３】
このようにすることで、シート３０の裏面３１ｂ〜３８ｂ側だけが手前側に位置するので、一般的な絵本と同様に左綴じ、左開きの絵本としてページを捲って読むことができる。なお、ここでは、例えば、童話の典型例である桃太郎のストーリーに対応する話（鬼側からの視点、すなわち、鬼が桃太郎を迎え撃つ話）が描かれている。
【００２４】
このように構成された絵本１０によれば、蛇腹状のシート３０を収容しつつ、シート３０の表面３１ａ〜３８ａと裏面３１ｂ〜３８ｂに記述されたストーリーを一般的な絵本や書籍のようにページ捲って読むことが可能となる。
【００２５】
＜第２の実施形態＞
図９は本考案の第２の実施形態である絵本１０Ａの要部を示す斜視図である。図９において、上述した図３と同一機能部分には同一符号を付し、その詳細な説明は省略する。絵本１０Ａは、上述した表紙体２０の代わりに表紙体２０Ａを有している。表紙体２０Ａは、面ファスナ２４ａ，２４ｂの代わりに、開口部２５ａを図９中左側（第２板材２２とは反対側）にしたポケット２５が設けられている。また、紙片３８の裏面３８ｂには、面ファスナ３９ａ，面ファスナ３９ｂが設けられていない。
【００２６】
ポケット２５は、紙片３８が挿脱可能に設けられており、紙片３８をポケット２５に挿入することで、紙片３８を第３板材２３の第２面２３ｂに固定することができる。また、紙片３８をポケット２５から抜くことで、容易に固定を解除することができる。すなわち、上述した面ファスナと同様の効果を得ることができる。
【００２７】
本実施形態に係る絵本１０Ａにおいても、上述した絵本１０と同様に、蛇腹状のシート３０を収容しつつ、シート３０の表面３１ａ〜３８ａと裏面３１ｂ〜３８ｂに記述されたストーリーを一般的な絵本や書籍のようにページ捲って読むことが可能となる。さらに、部品点数を削減することができる。
【００２８】
＜第３の実施形態＞
図１０は本考案の第３の実施形態である絵本１０Ｂの要部を示す斜視図である。図１０において、上述した図３と同一機能部分には同一符号を付し、その詳細な説明は省略する。絵本１０Ｂは、上述した表紙体２０の代わりに表紙体２０Ｂを有している。表紙体２０Ｂは、面ファスナ２４ａ，２４ｂの代わりに、開口部２６ａを図１０中左側（第２板材２２とは反対側）及び上側にしたポケット２６が設けられている。また、紙片３８の裏面３８ｂには、面ファスナ３９ａ，面ファスナ３９ｂが設けられていない。
【００２９】
ポケット２６は、紙片３８が挿脱可能に設けられており、紙片３８をポケット２６に挿入することで、紙片３８を第３板材２３の第２面２３ｂに固定することができる。また、紙片３８をポケット２６から抜くことで、容易に固定を解除することができる。すなわち、上述した面ファスナと同様の効果を得ることができる。
【００３０】
本実施形態に係る絵本１０Ｂにおいても、上述した絵本１０と同様に、蛇腹状のシート３０を収容しつつ、シート３０の表面３１ａ〜３８ａと裏面３１ｂ〜３８ｂに記述されたストーリーを一般的な絵本や書籍のようにページ捲って読むことが可能となる。さらに、部品点数を削減することができる。
【００３１】
＜第４の実施形態＞
図１１は本考案の第４の実施形態である絵本１０Ｃの要部を示す斜視図である。図１１において、上述した図３と同一機能部分には同一符号を付し、その詳細な説明は省略する。絵本１０Ｃは、上述した表紙体２０の代わりに表紙体２０Ｃを有している。表紙体２０Ｃは、面ファスナ２４ａ，２４ｂの代わりに、磁石２７が設けられている。また、紙片３８の裏面３８ｂには、面ファスナ３９ａ，面ファスナ３９ｂの代わりに磁性体５０が設けられている。なお、紙片３８の裏面３８ｂ側に独立した紙片５１を設けても良い。
【００３２】
磁性体５０は、磁石２７に近づけることにより磁力により吸引され、紙片３８を第３板材２３の第２面２３ｂに固定することができる。また、紙片３８を第３板体２３から指先でやや強めに離間させることで、容易に固定を解除することができる。すなわち、上述した面ファスナと同様の効果を得ることができる。
【００３３】
本実施形態に係る絵本１０Ｃにおいても、上述した絵本１０と同様に、蛇腹状のシート３０を収容しつつ、シート３０の表面３１ａ〜３８ａと裏面３１ｂ〜３８ｂに記述されたストーリーを一般的な絵本や書籍のようにページ捲って読むことが可能となる。なお、磁石と磁性体の関係を逆にしてもよく、また、両方を磁石にしてもよい。さらに、固定するための部品を外部から隠すことができ、デザイン的な自由度が増す。
【００３４】
＜第５の実施形態＞
図１２は本考案の第５の実施形態である絵本１０Ｄの要部を示す斜視図である。図１２において、上述した図３と同一機能部分には同一符号を付し、その詳細な説明は省略する。絵本１０Ｄは、上述した表紙体２０の代わりに表紙体２０Ｄを有している。表紙体２０Ｄは、面ファスナ２４ａ，２４ｂの代わりに、開口部を図９中左側（第２板材２２とは反対側）にしたクリップ２８が設けられている。クリップ２８は金属材等により形成され、開口部が閉じる方向に付勢されている。また、紙片３８の裏面３８ｂには、面ファスナ３９ａ，面ファスナ３９ｂが設けられていない。
【００３５】
クリップ２８は、紙片３８を挟持可能に設けられており、紙片３８をクリップ２８に挿入することで、紙片３８を第３板材２３の第２面２３ｂに固定することができる。また、クリップ２８の開口を開いて紙片３８を抜くことで、容易に固定を解除することができる。すなわち、上述した面ファスナと同様の効果を得ることができる。
【００３６】
本実施形態に係る絵本１０Ｄにおいても、上述した絵本１０と同様に、蛇腹状のシート３０を収容しつつ、シート３０の表面３１ａ〜３８ａと裏面３１ｂ〜３８ｂに記述されたストーリーを一般的な絵本や書籍のようにページ捲って読むことが可能となる。さらに、部品点数を削減することができる。
【００３７】
上述した例では、長尺状のシートを蛇腹状に折曲したものを例示したが、矩形状の用紙の端部を繋ぎ合わせてシート状にしたものを用いても良い。また、複数のシートを繋ぎ合わせて長尺のシートを構成してもよい。この他、シートの長さや用紙の枚数は適宜変更しても良い。また、表面と裏面に記述するものは、異なった視点でのストーリーの他、視点は同じでも日本語と英語のように異なる言語で記述されたもの、古文と現代文のように異なる記述法で記述されたもの等、様々な形態が考えられる。また、上記説明では、左綴じ、左開きの冊子体として説明したが、右綴じ、右開きの冊子体として用いてもよい。さらに、表面と裏面は必ずしも対応したものでなくてもよい。例えば、表面の続きが裏面に記述されている形態でもよい。
【００３８】
以上、本考案の実施形態について説明したが、本考案はこれに限定されることなくその趣旨を逸脱しない範囲で種々の改良・変更が可能であることは勿論である。例えば、上述した滑り止め部は間欠的に施工したが、全面に施工するようにしてもよい。
【産業上の利用可能性】
【００３９】
本考案は、蛇腹状の用紙を収容しつつ、表面と裏面をそれぞれ一般的な絵本や書籍のようにページ捲って読むことができる冊子体として有効である。
【符号の説明】
【００４０】
１０，１０Ａ，１０Ｂ，１０Ｃ，１０Ｄ…絵本（冊子体）、２０，２０Ａ，２０Ｂ，２０Ｃ，２０Ｄ…表紙体、２１…第１板材、２１ａ…第１面、２１ｂ…第２面、２２…第２板材、２２ａ…第１面、２２ｂ…第２面、２３…第３板材、２３ａ…第１面、２３ｂ…第２面、２４ａ…面ファスナ、２４ｂ…面ファスナ、２５，２６…ポケット、２７…磁石、３０…シート、３１〜３８…紙片、３１ａ〜３８ａ…表面、３１ｂ〜３８ｂ…裏面、３９ａ…面ファスナ、３９ｂ…面ファスナ、５０…磁性体、５１…紙片。
【図１】
0003234249.tif 000003
【図２】
0003234249.tif 000004
【図３】
0003234249.tif 000005
【図４】
0003234249.tif 000006
【図５】
0003234249.tif 000007
【図６】
0003234249.tif 000008
【図７】
0003234249.tif 000009
【図８】
0003234249.tif 000010
【図９】
0003234249.tif 000011
【図１０】
0003234249.tif 000012
【図１１】
0003234249.tif 000013
【図１２】
0003234249.tif 000014
【手続補正書】
【提出日】令和3年8月17日(2021.8.17)
【手続補正１】
【補正対象書類名】明細書
【補正対象項目名】００２０
【補正方法】変更
【補正の内容】
【００２０】
絵本１０の第１形態は、シート３０の表面３１ａ〜３８ａ側を読む形態である。すなわち、図３，４に示すように、第３板材２３の第１面２３ａ側を内側にして第２板材２２側に折り畳み、第３板材２３の第１面２３ａを第２板材２２の第１面２２ａに対向させる。そして、第３板材２３の第２面２３ｂに紙片３８の裏面３８ｂを対向させ、面ファスナ３９ａを面ファスナ２４ｂに、面ファスナ３９ｂを面ファスナ２４ａに接合させる。
【手続補正２】
【補正対象書類名】明細書
【補正対象項目名】００２２
【補正方法】変更
【補正の内容】
【００２２】
次に、シート３０の裏面３１ｂ〜３８ｂ側を読むために、絵本１０を第２状態へと移行する。すなわち、図５，６に示すように、面ファスナ３９ａと面ファスナ２４ｂ、面ファスナ３９ｂと面ファスナ２４ａとの結合を解除し、第２板材２２の第２面２２ｂ側を内側にして第１板材２１側に折り畳み（図５中矢印Ｆ）、第２板材２２の第２面２２ｂを第１板材２１の第２面２１ｂと対向させる。さらに、シート３０の紙片３８を移動させる（図５中矢印Ｓ）。そして、図７，８に示すように、第３板材２３の第２面２３ｂに紙片３８の裏面３８ｂを対向させ、面ファスナ３９ａを面ファスナ２４ｂに、面ファスナ３９ｂを面ファスナ２４ａに接合させる。
【手続補正３】
【補正対象書類名】明細書
【補正対象項目名】００２５
【補正方法】変更
【補正の内容】
【００２５】
＜第２の実施形態＞
図９は本考案の第２の実施形態である絵本１０Ａの要部を示す斜視図である。図９において、上述した図３と同一機能部分には同一符号を付し、その詳細な説明は省略する。絵本１０Ａは、上述した表紙体２０の代わりに表紙体２０Ａを有している。表紙体２０Ａは、面ファスナ２４ａ，２４ｂの代わりに、開口部２５ａを図９中左側にしたポケット２５が設けられている。また、紙片３８の裏面３８ｂには、面ファスナ３９ａ，面ファスナ３９ｂが設けられていない。
【手続補正４】
【補正対象書類名】明細書
【補正対象項目名】００２８
【補正方法】変更
【補正の内容】
【００２８】
＜第３の実施形態＞
図１０は本考案の第３の実施形態である絵本１０Ｂの要部を示す斜視図である。図１０において、上述した図３と同一機能部分には同一符号を付し、その詳細な説明は省略する。絵本１０Ｂは、上述した表紙体２０の代わりに表紙体２０Ｂを有している。表紙体２０Ｂは、面ファスナ２４ａ，２４ｂの代わりに、開口部２６ａを図１０中左側及び上側にしたポケット２６が設けられている。また、紙片３８の裏面３８ｂには、面ファスナ３９ａ，面ファスナ３９ｂが設けられていない。
【手続補正５】
【補正対象書類名】明細書
【補正対象項目名】００３４
【補正方法】変更
【補正の内容】
【００３４】
＜第５の実施形態＞
図１２は本考案の第５の実施形態である絵本１０Ｄの要部を示す斜視図である。図１２において、上述した図３と同一機能部分には同一符号を付し、その詳細な説明は省略する。絵本１０Ｄは、上述した表紙体２０の代わりに表紙体２０Ｄを有している。表紙体２０Ｄは、面ファスナ２４ａ，２４ｂの代わりに、開口部を図９中左側にしたクリップ２８が設けられている。クリップ２８は金属材等により形成され、開口部が閉じる方向に付勢されている。また、紙片３８の裏面３８ｂには、面ファスナ３９ａ，面ファスナ３９ｂが設けられていない。
【手続補正６】
【補正対象書類名】図面
【補正対象項目名】図２
【補正方法】変更
【補正の内容】
【図２】
0003234249.tif 000015
【手続補正７】
【補正対象書類名】図面
【補正対象項目名】図５
【補正方法】変更
【補正の内容】
【図５】
0003234249.tif 000016
【手続補正８】
【補正対象書類名】図面
【補正対象項目名】図６
【補正方法】変更
【補正の内容】
【図６】
0003234249.tif 000017
【手続補正９】
【補正対象書類名】図面
【補正対象項目名】図７
【補正方法】変更
【補正の内容】
【図７】
0003234249.tif 000018
【手続補正１０】
【補正対象書類名】図面
【補正対象項目名】図８
【補正方法】変更
【補正の内容】
【図８】
0003234249.tif 000019